(57)【要約】      （修正有）【課題】取付け箇所の固定具を取り付けた状態のまま、アームを邪魔にならないようにできる固定具を提供する。【解決手段】支持部１８４にはネジ棒１３６が移動するネジ案内開口と移動駒１８７が嵌められ形態で外れないように移動可能とされた移動駒案内部１８８が設けられている。移動駒１８７には貫通したネジ孔が設けられ、ネジ孔にはネジ棒１３６が螺合されている。移動駒案内部１８８は、ネジ棒１３６が移動するネジ案内開口を有する裏面が凹み部１７９のプレート体からなっていて、ボルトによって支持部１８３に固定されている。固定具本体１８６の内側天井部に上方横縁６１が嵌る凹み部１９２を設けている。可動押さえ部１３８で下方横縁を押さえたときに、凹み部１９２に上方横縁６１が嵌ることによって固定具本体１８６の上方が振れないようにしている。【選択図】図１９
2014121621.tif 000002
【特許請求の範囲】
【請求項１】
取付け箇所が出し入れできるように下部が開口されてなる固定具本体と、
この固定具本体の一方側の立下り部位である固定押さえ部と、
この固定押さえ部の対抗側に設けられた前記固定具本体の他方側の立下り部位である支持部と、
この支持部の設けられた案内開口と、
この案内開口に通され上下に移動可能とされたネジ棒と、
この棒を螺合するネジ孔を有する移動駒と、
この移動駒を案内する前記支持部に設けられた移動駒案内部と、
前記固定具本体の外側に位置されて、前記ネジ棒の他方側に取り付けられた締め付け摘みと、
前記固定具本体の内側に位置されて、前記ネジ棒の一方側に取り付けられた可動押さえ部と、を備えるとともに、
前記取付け箇所を前記固定押さえ部と前記可動押さえ部の間に位置させて、前記締め付け摘みを締め付け操作することによって、前記取付け箇所を前記固定押さえ部と前記可動押さえ部で押さえ挟持して前記取付け箇所に固定することを特徴とする固定具。
【請求項２】
前記固定具本体の内側天井部に、前記取付け箇所が上部横縁である場合に、該上部横縁が嵌る凹み部を設けてなることを特徴とする請求項１記載の固定具。
【発明の詳細な説明】
【技術分野】
【０００１】
本発明は、ベッドガード、ベッドボード、ベッドの柵、ベッドの手摺り、車いすの骨組み、囲柵、板状材、棒材などの取付け箇所に着脱自在形態で取り付ける固定具に関する。
【背景技術】
【０００２】
従来、取付け箇所を挟持するバネ付勢力の強い根本クリップの前面に前方に突出する形態でフレキシブルアームが取り付けられ、フレキシブルアームの先端に先端クリップが設けられた医療用器固定具が知られている。（例えば特許文献１）
【先行技術文献】
【特許文献】
【０００３】
【特許文献１】特開2011-19645号公報
【非特許文献】
【０００４】
【非特許文献１】特になし
【発明の概要】
【発明が解決しようとする課題】
【０００５】
上述した特許文献１の技術は、フレキシブルアームが根本クリップから前方に突出した形態を動かせないものであるため、前方に突き出したフレキシブルアームが作業等の邪魔になる場合は、固定具を取付け箇所から取り外し周囲の適当な箇所に置かなければならないし、使用するときは改めて根本クリップを開き取付け箇所に取り付けなければならないし、フレキシブルアームの曲げには曲げ限界があるために、その限界を超える取付け箇所からの近接箇所に先端クリップを位置させることができないという欠点を有するものであった。
また、オムツ交換時、介護される者のベッドからの出し入れ時など、頻繁に取り外しが行われるベッドの柵（取付け箇所）に使用した場合、前方に突き出したフレキシブルアームがベッド柵の置き場所の邪魔になるので取り外さなければならないし、取り外した固定具の置き場所がベッドの下の寝床など非衛生的な場所になることが多く、ベッドの柵をベッドに取り付ける際にはその固定具を改めて取り付けなければならないという欠点を有するものであった。
【０００６】
本発明は以上のような従来技術の欠点に鑑み、前方に突出しているフレキシブルアームないし単なるアームが邪魔になる場合は、取付け箇所の固定具を取り付けた状態のまま、アームを邪魔にならないようにできる固定具を提供することを目的としている。
【課題を解決するための手段】
【０００７】
上記目的を達成するために、本発明は次に述べるような構成としている。
＜請求項１記載の発明＞
取付け箇所が出し入れできるように下部が開口されてなる固定具本体と、
この固定具本体の一方側の立下り部位である固定押さえ部と、
この固定押さえ部の対抗側に設けられた前記固定具本体の他方側の立下り部位である支持部と、
この支持部の設けられた案内開口と、
この案内開口に通され上下に移動可能とされたネジ棒と、
この棒を螺合するネジ孔を有する移動駒と、
この移動駒を案内する前記支持部に設けられた移動駒案内部と、
前記固定具本体の外側に位置されて、前記ネジ棒の他方側に取り付けられた締め付け摘みと、
前記固定具本体の内側に位置されて、前記ネジ棒の一方側に取り付けられた可動押さえ部と、を備えるとともに、
前記取付け箇所を前記固定押さえ部と前記可動押さえ部の間に位置させて、前記締め付け摘みを締め付け操作することによって、前記取付け箇所を前記固定押さえ部と前記可動押さえ部で押さえ挟持して前記取付け箇所に固定することを特徴とする固定具である。
【０００８】
＜請求項２記載の発明＞
前記固定具本体の内側天井部に、前記取付け箇所が上部横縁である場合に、該上部横縁が嵌る凹み部を設けてなることを特徴とする請求項１記載の固定である。
【発明の効果】
【０００９】
以上の説明から明らかなように、本発明にあっては次に列挙する効果が得られる。
＜請求項１記載の発明の効果＞
上部胴縁に取り付けることも、板状部材（ベッドのボードなど）にも取り付けることも、上部胴縁と下部胴縁を使用し該下部胴縁を押さえ固定する取り付け方も可能とするものである。
【００１０】
＜請求項２記載の発明の効果＞
可動押さえ部で下方横縁を押さえたときに、凹み部に上方横縁が嵌ることによって固定具本体の上方が振れない。
【図面の簡単な説明】
【００１１】
【図１】本願発明者が考案した発明の実施例１の固定具を取付け箇所に取り付けた使用状態を示す正面図。
【図２】本願発明者が考案した発明の実施例１の斜視図。
【図３】本願発明者が考案した発明の実施例１の取付状態を示す斜視図。
【図４】本願発明者が考案した発明の実施例１のアームを回動させ上方横縁と並び形態である横向き形態とした斜視図。
【図５】本願発明者が考案した発明の実施例２の斜視図。
【図６】本願発明者が考案した発明の実施例３の側面図。
【図７】本願発明者が考案した発明の実施例４のアームを回動させ上方横縁と並び形態である横向き形態とした側面図。
【図８】本願発明者が考案した発明の実施例５の側面図。
【図９】本願発明者が考案した発明の実施例６の側面図およびアームを１８０度回動させた状態の側面図。
【図１０】本願発明者が考案した発明の実施例７の側面図。
【図１１】本願発明者が考案した発明の実施例８の側面図。
【図１２】本願発明者が考案した発明の実施例９の側面図およびアームを右に１８０度回動させた状態の側面図。
【図１３】本願発明者が考案した発明の実施例１０の側面図およびアームを右に１８０度回動させた状態の側面図。
【図１４】本願発明者が考案した発明の実施例１１の斜視図。
【図１５】本願発明者が考案した発明の実施例１１の側面図。
【図１６】本願発明者が考案した発明の実施例１１の平面図。
【図１７】本願発明者が考案した発明の実施例１２の斜視図。
【図１８】本願発明者が考案した発明の実施例１２の取り付け状態の斜視図。
【図１９】本発明の実施例１３の横胴縁に取り付けた状態の側面図。
【図２０】本発明の実施例１３の板部材に取り付けた状態の側面図。
【図２１】本発明の実施例１３の下部胴縁を押さえ取り付けた状態の側面図。
【図２２】本発明の実施例１３の正面図。
【発明を実施するための形態】
【００１２】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００１３】
図１〜図４に示す本願発明者が考案した発明の実施例１において６０は固定具であって、この固定具６０は次に述べるような構成となっている。
固定具６０は、上下に間隔をあけた上方横縁６１と下方横縁６２を有する箇所である、例えばベッド２５の手摺りや柵などの取付け箇所５９と、上方横縁６１と該上方横縁６１から立ち下げられた縦胴縁である縦縁５８を有する取付け箇所５９に着脱形態で取り付けられる固定具であり、前記上方横縁６１に載って支持される湾曲横長形体の上方横縁支持部６３と、この上方横縁支持部６３を支持してなる板状部材からなる基体部６４と、この基体部６４の前記上方横縁支持部６３より下方に設けられ縦孔開口形態の案内支持部６５と、この案内支持部６５に上下方向に移動可能形態で支持された、前記下方横縁６２を入れて下方から支持状態とする下方横縁支持部６７、前記縦縁５８を入れて支持状態とする縦縁支持部６８、下方横縁支持部６７と縦縁支持部６８の外側壁である締め付けプレート部６６を有する横縁縦縁支持部６９と、この横縁縦縁支持部６９の前記下方横縁６２ないし前記縦縁５８の前記支持状態をロックするための摘みを回しネジ締め形態でロックする横縁縦縁支持部６９の反対側に設けられたロック手段７０とからなっている。
【００１４】
横縁縦縁支持部６９に一体形成形態で、案内支持部６５内に非回転で上下移動可能とされた移動駒部７１が下方横縁支持部６７を延長する形態で配置され、移動駒部７１にはネジ孔（図示せず）が設けられ、該ネジ孔にはロック手段７０のネジが螺合されている。
上方横縁６１を下方横縁支持部６７に入れてロック手段７０を回してネジ締めすると、移動駒部７１および横縁縦縁支持部６９はロック手段７０側に移動して、案内支持部６５と締め付けプレート部６６とで上方横縁６１を挟持締め付けてロック状態とする（図３参照）。
縦縁５８による縦縁支持部６８のロック支持も同様である（図４参照）。
【００１５】
基体部６４の横縁縦縁支持部６９より上方には、上方横縁支持部６３が上方横縁６１に載った状態で下方横縁６２に上方から被さるように配置された下方横縁被さり部７２と、縦縁５８に横から被さるように配置された縦縁被さり部７３を有する被さり回動阻止板７４が設けられている。
上方横縁支持部６３を上方横縁６１に載せて下方横縁被さり部７２が下方横縁６２に被さって基体部６４が回動しないように支持した仮保持状態にできるので、一方の手の親指を下方横縁被さり部７２の上部に当て、他の指を横縁縦縁支持部６９の下部に当てて、下方横縁支持部６７を押し上げ下方横縁６２に押し付けた押し付け状態にして、他方の手でロック手段７０を操作して下方横縁支持部６７をロックすることができ、上方横縁支持部６３を上方横縁６１に載せて縦縁被さり部７３が縦縁に被さって基体部６４が回動しないように支持した仮保持状態にできるので、一方の手で縦縁側支持部６８を縦縁５８に押し付け状態にして、他方の手でロック手段７０を操作して縦縁側支持部６８をロックする。
【００１６】
基体部６４の上部には固定軸（図示せず）を上部に有する回動体支持基体７５が固定され、前記固定軸には他方に分離部７６を有する横回動可能に回動体７７が設けられ、分離部７６の一方の分離部位側面にはネジ孔７８が螺刻され、分離部７６の他方の分離部位側面にはネジ通し孔（図示せず）があけられ、締め付け摘みからなるロック操作手段７９のネジが前記ネジ通し孔を通されネジ孔７８に螺合されている。
固定軸（図示せず）の上部にはネジ孔（図示せず）が螺刻され、該ネジ孔にはワッシャ８０を挟んでボルト８１が螺合されて回動体７７が、前記固定軸から外れることがないようにされている。
分離部７６の他方の分離部位背面には下向き棒部材からなる係止部８２が設けられている。係止部８２は、係止部８２が差し込まれる差込孔を有する箇所に差し込んで、固定具６０を保持するためのものである。例えば人工呼吸装置の枠体に設けられた差込孔に差し込まれ人工呼吸装置側に固定具６０を保持することができる。
回動体７７の前面部位には棒部材からなるアーム８３が設けられている。アーム８３の先端にはフレキシブルアーム３９が設けられ、前記フレキシブルアーム３９の先端にはクリップ４１が設けられている。
ロック操作手段７９の締め付け操作（正回し操作）で一方の分離部位と他方の分離部位は狭められ、固定軸は締め付けられて回動体７７が横回動しないようにロックされる。ロック操作手段７９を逆回し操作すると一方の分離部位と他方の分離部位は離間されて、固定軸の締め付けロックは開放されて、回動体７７を横回動操作（ここでは略水平に回動操作）することができる。
図３のごとくアーム８３を前方に向いた前方突出形態でロックすることも、図４のごとくアーム８３を前方突出形態から横回動して上方横縁６１と並び形態である横向き形態に、非力な力でも簡単に素早く行える。
アーム４０ないしフレキシブルアーム３９を設ける箇所は特に限定されるものではなく、上方横縁支持部２８の上方に突出させた部材、基体部３０の適宜な箇所、上方横縁支持部２８に設ける、また、他の部材を介して設けるなど多様な形態がある。
【００１７】
基体部６４、上方横縁支持部６３、横縁縦縁支持部６９、ロック手段７０とで固定具本体５０を形成している。
【００１８】
図１によって、固定具６０の使用事例を説明する。
人工呼吸器、人工吸入器等であるベース装置３（医療機器に限定されない）のベース枠体１３の支持アーム取付支持部１４に、立ち状態に支持される立ちアーム部４、この立ちアーム部４から横に延びた横アーム部５とからなる、関節部を有さない逆Ｌ字形態の支持アーム部２が水平回動自在形態で設けられている。
支持アーム部２はフレキシブル管やコードなどのフレキシブル部材を吊り状態で支持する。
係止部８２はベース装置３に設けられた固定具保持部９の係止孔１２に着脱自在形態で挿入係止できるようにしている。
ベース装置３は棒部材からなるベース枠体１３にディスプレイ、制御部、吸入駆動部、キャスターなどを取り付けた形態であり、ベース枠体１３の正面右側には支持アーム部２を取り付ける支持アーム取付支持部１４が設けられ、左側には係止孔１２を有する固定具保持部９が設けられている。
支持アーム取付け部１４には締め付け摘み１５が設けられ、支持アーム部２が回動しないように回動をロックできるようになっていて、締めつけ摘み１５の締め付けにより主にベース装置３を移動走行させるときに支持アーム部２が回動振れないようにする。
支持アーム部２の横アーム部５の先端には、吊り紐１６を好みの位置でロックできる形態のリール１７が設けられ、吊り紐１６の先端にはフレキシブル部材６ａ、６ｂをそれぞれ嵌め込む管嵌め込み部（図示せず）を有するフレキシブル部材保持手段１８が設けられている。
フレキシブル部材６ａ、６ｂの先端は二股吸入器である支持される部材１１に取り付けられている。
リール１７、吊り紐１６、フレキシブル部材保持手段１８とで昇降吊り部２１を形成している。
支持アーム部２は横方向（ここでは水平方向）に回動自在とされてる。
支持アーム部２の水平方向回動可能形態によって、ベース装置３が動いたりしても支持アーム部２が回動して固定具６０に影響を与えることはない。また、ベース装置３の配置箇所の自由度を拡大するものである。
固定具６０はベッド２５の手摺りないし柵である取付け箇所５９に装着され、クリップ４１で支持される部材１１を挟持支持している。
【実施例２】
【００１９】
図５に示す本願発明者が考案した発明の実施例２において前記実施例１と主に異なる点は、回転支持基体７５の上部に固定された固定軸（図示せず）に、横回動自在に回動体８５を取り付け、前記固定軸に螺刻されたネジ孔に締め付け摘みからなるロック操作手段７９のネジ（図示せず）を螺合させ、ロック操作手段７９を締め付け方向（正方向）に回し操作すると、該ロック操作手段７９と回転支持基体７５の上部面とで回動体８５を挟持締め付けて、該回動体８５が横回動しないようにロックされるようにされ、回動体８５の前面にはフレキシブルアーム８６、フレキシブルアーム８７が上下関係で取り付けられ、それぞれの先端にはクリップ（図示せず）が設けられてなる固定具８８を形成した点にある。
固定軸がネジ棒である場合は、ロック操作手段７９は該ネジ棒が螺合するネジ孔を設けた形態となる。
フレキシブルアーム８６、フレキシブルアーム８７の使用形態としては、フレキシブルアーム８６が掛かる荷重に耐えられず下に垂れ曲がるような場合、フレキシブルアーム８７のクリップでフレキシブルアーム８６の適当な箇所を挟持して、フレキシブルアーム８６が荷重に耐えるようにする形態にすることができる。
いずれも、全体がフレキシブルアームであるので、曲げ操作範囲が広くより柔軟な対応ができる。
いずれか一方を、棒部材からなるアームのみのものにする、棒部材からなるアームとその先端に設けたフレキシブルアームからなるものにするなどもよい。
【実施例３】
【００２０】
図６に示す本願発明者が考案した発明の実施例３において前記実施例１と主に異なる点は、回動体支持基体７５を固定した基体部９０を立ち下げ、基体部９０の上方に縦孔開口形態の案内支持部９１を設け、案内支持部９１に上下移動可能に支持案内された上方横縁６１に上方から載る側面形態が掛かりフック形態である上方横縁支持部９２が設けられ、上方横縁支持部９２に一体化されて案内支持部９１内に位置されて非回転で上下移動可能な移動駒部７１が設けられ、移動駒部７１に螺刻されたネジ孔（図示せず）ないしネジ棒（図示せず）にロック手段７０がそのネジ棒（図示せず）ないしネジ孔（図示せず）を螺合させて、上方横縁支持部９２の反対側に設けられ、基体部９０の上方横縁支持部９２と同一面の下方に設けられた下方横縁６２に上方から載り状態となって支持される、側面形態が掛かりフック形態である下方横縁支持部９３が固定設けられてなる固定具９４を形成した点にある。
ロック手段７０を軽く締めて上方横縁支持部９２を最上方にロックし、下方横縁支持部９３を下方横縁６２に載せ、ロック手段７０を緩め上方横縁支持部９２を降ろして上方横縁６１に載せ置き、ロック手段７０を軽く締めて上方横縁支持部９２の移動をロックする。
ベッドの柵ないし手摺り上方横縁支持部９２と下方横縁支持部９３の横長さは５ｃｍ程度から１０ｃｍ程度（実施例４の上方横縁支持部６３の様な形状長さ）がよい。すくなくとも、下方横縁支持部９３の横長さは５ｃｍ程度から１０ｃｍ程度と幅広にするのが載せたときの安定性をよいものにできる。
【００２１】
基体部９０、上方横縁支持部９２、ロック手段７０、下方横縁支持部９３とで固定具本体５１を形成している。
【実施例４】
【００２２】
図７に示す本願発明者が考案した発明の実施例４において前記実施例２と主に異なる点は、回動体支持基体７５の下部側に側面からネジ孔（図示せず）とネジ通し孔（図示せず）を設け、基体部９０にもネジ通し孔（図示せず）を設け、基体部９０にも前記ネジ通し孔および回動体支持基体７５のネジ通し孔を通し前記ネジ孔に螺合するネジ棒（図示せず）を有する取り付け摘み９６の着脱によって、回動体支持基体７５およびその上部物を着脱自在形態とし、案内支持部を基体部９０の下方まで延びた長さで下方横縁支持部９３の移動も支持する形態とした案内支持部９７とし、上方横縁支持部を上方横縁６１の下方から当り支持する側面から見た形状がフック形態である上方横縁支持部９８とし、案内支持部９７の上方に下方横縁支持部９３が下方横縁６２に載った状態では、上方横縁６１がその内側に位置されて該上方横縁６１が当り移動が阻止されることで基体部９０が倒れ外れ無いように仮支持を可能する上方横縁被さり部９９を設け、下方横縁支持部９３の移動をロックするためのロック手段７０と同様な構成のロック手段１００を設けてなる固定具１０１を形成した点にある。
【００２３】
基体部９０、上方横縁支持部９８、ロック手段７０、下方横縁支持部９３とで固定具本体５２を形成している。
【実施例５】
【００２４】
図８に示す本願発明者が考案した発明の実施例５において１０３は固定具であって、この固定具１０３はネジ棒からなる回動体支持基体１０４と、この回動体支持基体１０４を固定してなる回動体１０５と、この回動体１０５の前面に設けられたアーム８３と、回動体支持基体１０４に螺合されるネジ孔１０６を有するロック操作手段１０７とからなるとともに、連通する貫通孔１０８ａ、１０８ｂを有する中空棒部材からなる取付け箇所１０９の、前記貫通孔１０８ａ、１０８ｂに回動体支持基体１０４を差込貫通させ、外に突き出たネジ部位にロック操作手段１０５のネジ孔１０６を螺合させ正回して、回動体１０５とロック操作手段１０７で取付け箇所１０９を挟み締め付けて、回動体１０５が横回動しないようにロックして使用するものである。
ロック操作手段１０７を逆回して取付け箇所１０９の締め付けを緩めることによって、回動体１０５およびアーム８３を横回動させることができる。
回動体１０５と、回動体支持基体１０４と、ロック操作手段１０７とで固定具本体１１０を形成している。
１１１、１１２はゴム製ないしプラスチック製のワッシャである。
回動体支持基体１０４をロック操作手段１０７に固定し、回動体１０５に回動体支持基体１０４に螺合するネジ孔１０６を設けた形態とするのもよい。
取付け箇所１０９の下側に回動体１０５を位置させ上側にロック操作手段１０７を位置させた取り付けも可能である。
取付け箇所１０９が縦棒でも取り付けが可能である。
【００２５】
図８のような形態で、アームが横回動ないし縦回動可能に予めベッドなどの柵に設けられてなる回動アーム付き柵もよい。
この場合、取付け箇所１０９（横胴縁）の下に回動可能に設ける形態がよい。取付け箇所１０９（横胴縁）側に回動退避させる場合は、取付け箇所１０９（横胴縁）の下に該取付け箇所１０９（横胴縁）と下並びに収納され、柵の移動、柵を付けたままでの介護作業や治療作業の邪魔にならない。
取付け箇所１０９（横胴縁）の下部にネジ棒を固定形態で突出させ（上部には突出無しないしネジ棒のヘッドが突出する程度）、回動体１０５をネジ通し孔を有する形態として、該ネジ通し孔に前記ネジ棒を通し回動体１０５の下部に突出している該ネジ棒にロック操作手段１０７のネジ孔１０６を螺合させた形態とするのがよい。
部品点数の少ない安価なものにできるとともに、アームの必要な患者のベッドに回動アーム付き柵を取り付けておけばよい。
「柵」には囲い、手摺りなども含まれる。
【実施例６】
【００２６】
図９に示す本願発明者が考案した発明の実施例６において１１４は固定具であって、この固定具１１４は上下方向に貫通されたネジ孔１１５を有する固定押さえ部１１６、支持部１１７、この固定押さえ部１１６と支持部１１７をそれぞれの一方の側面で連結してなる連結部１１８とからなるコの字形態の固定具本体１１９と、支持部１１７の上部に設けられた突起１２０と、固定押さえ部１１６の上部に横回動可能に設けられた、前面部にアーム８３を前方に突き出すように設けかつ上下に貫通する通し孔１２１を有する回動体１２２と、この回動体１２２の上部に設けられた締め付け摘みからなるロック操作手段１２３と、このロック操作手段１２３の下部に固定された通し孔１２１を通りネジ孔１１５に螺合され、その先端側が固定押さえ部１１６の下方に突き出してなる棒ネジ１２４と、この棒ネジ１２４の先端に設けられた鍔形態の押さえ部１２５と、この押さえ部１２５の下部に設けられた突起１２６とからなっている。
連通する貫通孔１０８ａ、１０８ｂを有する中空棒部材からなる取付け箇所１０９の、前記貫通孔１０８ｂに突起１２０を嵌め入れ、ロック操作手段１２３を締め付け回し（正回し）して、突起１２６を連通する貫通孔１０８ａに嵌め入れ、さらにロック操作手段１２３を締め付け回して、押さえ部１２５と支持部１１７とで取付け箇所１０９を挟み締め付け状態にして固定具１１４を取付け箇所１０９に取り付け固定するとともに、回動体１２２もロック操作手段１２３と固定押さえ部１１６とで締め付け回動しないようにロックする。
貫通孔１０８ａ、１０８ｂに突起１２６、突起１２０が嵌め入っているために、固定具１１４は取付け箇所１０９に回転することのない取り付けを実現している。
ロック操作手段１２３を逆回しして挟み締め付け状態を緩めると回動体１２２は回動可能となる。
固定具本体１１９と、ロック操作手段１２３と、棒ネジ１２４と、押さえ部１２５とで固定具本体１２７を形成している。
【実施例７】
【００２７】
図１０に示す本願発明者が考案した発明の実施例７において前記実施例６と主に異なる点は、突起１２６に変えて、支持部１１７の上部に円筒棒からなる取付け箇所１２９が嵌る該取付け箇所１２９の外周円と略同じないし少し大きい曲面の湾曲面凹部１３０を設けてなる固定具１３１を形成した点にある。
取付け箇所１２９の上部には突起１２０が嵌り入る貫通孔１０８ａが設けられている。
【実施例８】
【００２８】
図１１に示す本願発明者が考案した発明の実施例８において１３３は固定具であって、固定具１３３は上部に固定軸１１５を有する固定押さえ部１１６、上下方向に貫通されたネジ孔１３４を有する支持部１１７、この固定押さえ部１１６と支持部１１７をそれぞれの一方の側面で連結してなる連結部１１８とからなるコの字形態の固定具本体１１９と、固定押さえ部１１６の下部に設けられた突起１３５と、ネジ棒１３６有し該ネジ棒をネジ孔１３４に下方から螺合させてなる締め付け摘み１３７と、ネジ棒１３６の先端に設けられた上方に湾曲凹１３０を有する可動押さえ部１３８と、固定軸１１５に回動可能に支持された回動体７７とからなっている。
貫通孔１０８ａに突起１３５を嵌め入れ載せた状態で取付け箇所１２９に固定具１３８をセットし、締め付け摘み１３７を正回し操作（締め付け操作）して可動押さえ部１３８を上昇させて湾曲面凹部１３０面を取付け箇所１２９の底部湾曲面に押し付け固定する。
固定軸１１５に回動可能に支持された他方に分離部７６を有する回動体７７は、分離部７６の一方の分離部位側面にはネジ孔７８が螺刻され、分離部７６の他方の分離部位側面にはネジ通し孔（図示せず）があけられ、締め付け摘みからなるロック操作手段７９のネジが前記ネジ通し孔を通されネジ孔７８に螺合されている。
固定軸１１５の上部にはネジ孔（図示せず）が螺刻され、該ネジ孔にはワッシャ８０を挟んでボルト８１が螺合されて回動体７７が、固定軸１１５から外れることがないようにされている。
回動体７７の前面部位には棒部材からなるアーム８３が設けられており、図１１では省略されているが実施例１の図1と同様に、アーム８３の先端にはフレキシブルアーム３９が設けられ、前記フレキシブルアーム３９の先端にはクリップ４１が設けられている。
締め付け摘みからなるロック操作手段７９の締め付け操作（正回し操作）で一方の分離部位と他方の分離部位は狭められ、固定軸は締め付けられて回動体７７が横回動しないようにロックされる。ロック操作手段７９を逆回し操作すると一方の分離部位と他方の分離部位は離間されて、固定軸の締め付けロックは開放されて、回動体７７を回動操作することができる。
【実施例９】
【００２９】
図１２に示す本願発明者が考案した発明の実施例９において前記実施例８と主に異なる点は、固定具本体を固定押さえ部１１６を外側側面に固定した第１の挟持板１４０と、この第１の挟持板１４０と回動連結軸１４１で連結されて対をなして該第１の挟持板１４０とで取付け箇所を付勢挟持する第２の挟持板１４２と、第１の挟持板１４０と第２の挟持板１４２を常に弱い付勢挟持状態にしている弱付勢力のスプリング１４３と、第１の挟持板１４０の挟持側の内側に設けられた突起１４４と、第２の挟持板１４２の挟持側の内側に設けられた突起１４５と、第１の挟持板１４０の方に回動自在に設けられたネジ棒１４６、このネジ棒１４６にネジ孔（図示せず）を螺合させて取り付けられた締め付け摘み１４７とからなる取り付け固定操作部１４８と、第２の挟持板１４２の下部に設けられた、上げられ回動したネジ棒１４６が入るネジ嵌り溝１４９とからなるとともに、ネジ棒１４６がネジ嵌り溝１４９に入った状態で締め付け摘み１４７を締め付け回し（正回し）して、第１の挟持板１４０と第２の挟持板１４２の挟持状態が開かないように固定することができる固定具本体１５０とした固定具１５１を形成した点にある。
１５２は、ロック操作手段７９に固定されて分離部７６の他方の側に螺刻されたネジ孔（図示せず）に螺合されているネジ棒１５２である。
中空シャフトの前後側面に軌条形態の凹み部１５３ａと凹み部１５３ｂを設けてなる取付け箇所１５４の、凹み部１５３ａに突起１４４を嵌め、凹み部１５３ｂに突起１４５を嵌めた状態にして、ネジ棒１４６をネジ嵌り溝１４９に入れて締め付け摘み１４７を締め付け回し（正回し）して、第１の挟持板１４０と第２の挟持板１４２の挟持状態が開かないように確りと締め固定する。
【実施例１０】
【００３０】
図１３に示す本願発明者が考案した発明の実施例１０において前記実施例９と主に異なる点は、スプリング１４３を強めのスプリング１５６とし、突起１４４、１４５を溝ないし穴からなる凹み部１５７、１５８とし、ネジ棒１４６および締め付け摘み１４７を設けない固定具本体１６０としてなる固定具１６１を形成した点にある。
中空シャフトの前後側面に軌条形態の凸部１６２ａと凸部１６２ｂを設けてなる取付け箇所１６３の、凸部１６２ａが凹み部１５７に嵌り、凸部１６２ｂが凹み部１５８に嵌るようにセットして取り付ける。
【実施例１１】
【００３１】
図１４〜図１６に示す本願発明者が考案した発明の実施例１１において前記実施例８と主に異なる点は、固定具本体を、ネジ通し孔１６９、１７０を有する第１の締め付け支持体１６６と、この第１の締め付け支持体１６６と向き合う形態で設けられたネジ穴（図示せず省略）を有する第２の締め付け支持体１６７と、第１の締め付け支持体１６６と第２の締め付け支持体１６７に設けられた取付け箇所１２９が入り該取付け箇所１２９を締め付け挟持状態とする締め付け支持部１６５と、この締め付け支持部１６５に取付け箇所１２９を出し入れするための開口１６４と、第１の締め付け支持体１６６のネジ通し孔１６９、１７０から挿入されて、第２の締め付け支持体１６７に螺刻された止め穴形態（貫通形態でもよい）の前記ネジ穴（図示せず省略）に螺合して、第１の締め付け支持体１６６および第２の締め付け支持体１６７あるいはいずれか一方の開閉動作および取付け箇所１２９の締め付けを行う締め付けネジ１７１、１７２と、第２の締め付け支持体１６７に固定された回動体７７を支持してなる回動体支持基体１６８とからなる固定具本体１７３としてなる固定具１７４を形成した点にある。
締め付けネジ１７１、１７２は、六角孔付きボルト、蝶ボルトなどでもよい。
ネジ通し孔１６９、１７０を第２の締め付け支持体１６７側に設け、ネジ穴第１の締め付け支持体１６６側に設けた構成とするのもよい。
また、回動体支持基体１６８を第１の締め付け支持体１６６側に設けた構成もよい。
【実施例１２】
【００３２】
図１７、図１８に示す本願発明者が考案した発明の実施例１２において前記実施例８と主に異なる点は、開口を下向きにした固定具本体１１９に上部に円柱形態の回動体支持基体１６８を設け、該回動体支持基体１６８に回動体７７を設けてなる固定具１８１を形成した点にある。
固定具本体１１９の開口部には可動押さえ部１３８の向きを規制する向き規制板１８０が設けられている。
回動体支持基体１６８を介さず回動体７７を固定具本体１１９に設ける形態もよい。
締め付け摘み１３７を非力な女性でも容易に回し締め付け緩ませ操作が行え、簡単で素早く取付け取り外しを行うことができ、胴縁への取付けが強固なものとなる。
車イスなどのパイプ部分に強固に取り付けることもできる。
【００３３】
固定具本体（１８１）の技術的思想を以下に述べる。
取付け箇所が出し入れできるように下部が開口されてなる固定具本体と、
この固定具本体の一方側の立下り部位である固定押さえ部と、
この固定押さえ部の対抗側に設けられた前記固定具本体の他方側の立下り部位である支持部と、
この支持部の設けられたネジ孔と、
このネジ孔に螺合されたネジ棒と、
前記固定具本体の外側に位置されて、前記ネジ棒の他方側に取り付けられた締め付け摘みと、
前記固定具本体の内側に位置されて、前記ネジ棒の一方側に取り付けられた可動押さえ部と、を備えるとともに、
前記取付け箇所を前記固定押さえ部と前記可動押さえ部の間に位置させて、前記締め付け摘みを締め付け操作することによって、前記取付け箇所を前記固定押さえ部と前記可動押さえ部とで押さえ挟持して前記取付け箇所に固定することを特徴とする固定具。
【実施例１３】
【００３４】
図１９〜図２２に示す本発明の実施例１３において前記実施例１２と主に異なる点は、固定具本体を固定押さえ部と支持部を長形態としてなる固定押さえ部１８２と支持部１８３とし、締め付け摘み１３７および可動押さえ部１３８が支持部１８３に案内されて上下移動可能な形態としてなる固定具本体１８６とした固定具１８４を形成した点にある。
支持部１８４にはネジ棒１３６が移動するネジ案内開口１８５ａと移動駒１８７が嵌められ形態で外れないように移動可能とされた移動駒案内部１８８が設けられている。
移動駒１８７には貫通したネジ孔１８９が設けられ、ネジ孔１８９にはネジ棒１３６が螺合されている。
移動駒案内部１８８は、ネジ棒１３６が移動するネジ案内開口１８５ｂを有する裏面が凹み部１７９のプレート体からなっていて、ボルト１９０によって支持部１８３に固定されている。
固定具本体１８６の内側天井部に上方横縁６１が嵌る凹み部１９２を設けている。図２１のように可動押さえ部１３８で下方横縁６２を押さえたときに、凹み部１９２に上方横縁６１嵌ることによって固定具本体１８６の上方が振れないようにしている。
移動駒案内部１８８は支持部１８３の強度アップと軽量化を図るリブとしても機能する。固定押さえ部１８２にもリブ１９１が設けられ強度アップと軽量化が図られている。
リブはネジでリブ部材を固定する形態、固定押さえ部１８２および支持部１８３あるいは固定押さえ部１８２の縁を折り曲げて形成してなる形態もよい。
また、固定押さえ部１８２および支持部１８３を平形態の筒状部材とするのもよい。その場合、平形態の筒状部材をＵの字形状に曲げ形態とするのがよい。軽量化で強度のあるものにできるとともに安価なものにできる。
平形態の筒状部材の場合、支持部１８３にネジ案内開口１８５ａ、１８５ｂを設け、移動駒１８７は支持部１８３の筒内を案内されて移動させればよい。
図１９に示すように上部胴縁に取り付けることも、図２０に示すように板状部材（ベッドのボードなど）にも取り付けることも、図２１に示すように上部胴縁と下部胴縁を使用し該下部胴縁を押さえ固定する取り付け方も可能とするものである。
【００３５】
固定具本体（１８６）の技術的思想を以下に述べる。
取付け箇所が出し入れできるように下部が開口されてなる固定具本体と、
この固定具本体の一方側の立下り部位である固定押さえ部と、
この固定押さえ部の対抗側に設けられた前記固定具本体の他方側の立下り部位である支持部と、
この支持部の設けられた案内開口と、
この案内開口に通され上下に移動可能とされたネジ棒と、
この棒を螺合するネジ孔を有する移動駒と、
この移動駒を案内する前記支持部に設けられた移動駒案内部と、
前記固定具本体の外側に位置されて、前記ネジ棒の他方側に取り付けられた締め付け摘みと、
前記固定具本体の内側に位置されて、前記ネジ棒の一方側に取り付けられた可動押さえ部と、を備えるとともに、
前記取付け箇所を前記固定押さえ部と前記可動押さえ部の間に位置させて、前記締め付け摘みを締め付け操作することによって、前記取付け箇所を前記固定押さえ部と前記可動押さえ部で押さえ挟持して前記取付け箇所に固定することを特徴とする固定具。
【産業上の利用可能性】
【００３６】
本発明は、主に医療産業、介護産業、事務所、オフィス、工場、研究施設等で利用される。
【符号の説明】
【００３７】
２：支持アーム部、
３：ベース装置、
４：立ちアーム部、
５：横アーム部、
６ａ、６ｂ：フレキシブル部材、
９：固定具保持部、
１１：支持される部材、
１２：係止孔、
１３：ベース枠体、
１４：支持アーム取付支持部、
１５：締めつけ摘み、
１６：吊り紐、
１７：リール、
１８：フレキシブル部材保持手段、
２１：昇降吊り部、
２５：ベッド、
４１：クリップ、
５０：固定具本体、
５１：固定具本体、
５２：固定具本体、
５８：縦縁、
５９：取付け箇所、
６０：固定具、
６１：上方横縁、
６２：下方横縁、
６３：上方横縁支持部、
６４：基体部、
６５：案内支持部、
６６：締め付けプレート部、
６７：下方横縁支持部、
６８：縦縁支持部、
６９：横縁縦縁支持部、
７０：ロック手段、
７１：移動駒部、
７２：下方横縁被さり部、
７３：縦縁被さり部、
７４：被さり回動阻止板、
７５：回動体支持基体、
７６：分離部、
７７：回動体、
７８：ネジ孔、
７９：ロック操作手段、
８０：ワッシャ、
８１：ボルト、
８２：係止部、
８３：アーム、
８５：回動体、
８６：フレキシブルアーム、
８７：フレキシブルアーム、
８８：固定具、
９０：基体部、
９１：案内支持部、
９２：上方横縁支持部、
９３：下方横縁支持部、
９４：固定具、
９６：取り付け摘み、
９７：案内支持部、
９８：上方横縁支持部、
９９：上方横縁被さり部、
１００：ロック手段、
１０１：固定具、
１０３：固定具、
１０４：回動体支持基体、
１０５：回動体、
１０６：ネジ孔、
１０７：ロック操作手段、
１０８ａ、１０８ｂ：貫通孔、
１０９：取付け箇所、
１１０：固定具本体、
１１１：ワッシャ、
１１２：ワッシャ、
１１４：固定具、
１１５：ネジ孔、
１１６：固定押さえ部、
１１７：支持部、
１１８：連結部、
１１９：固定具本体、
１２０：突起、
１２１：通し孔、
１２２：回動体、
１２３：ロック操作手段、
１２４：棒ネジ、
１２５：押さえ部、
１２６：突起、
１２７：固定具本体、
１２９：取付け箇所、
１３０：湾曲面凹部、
１３１：固定具、
１３３：固定具、
１３４：ネジ孔、
１３５：突起、
１３６：ネジ棒、
１３７：締め付け摘み、
１３８：可動押さえ部、
１４０：第１の挟持板、
１４１：回動連結軸、
１４２：第２の挟持板、
１４３：スプリング、
１４４：突起、
１４５：突起、
１４６：ネジ棒、
１４７：締め付け摘み、
１４８：取り付け固定操作部、
１４９：ネジ嵌り溝、
１５０：固定具本体、
１５１：固定具、
１５２：ネジ棒、
１５３ａ、１５３ｂ：凹み部、
１５４：取付け箇所、
１５６：スプリング、
１５７：凹み部、
１５８：凹み部、
１６０：固定具本体、
１６１：固定具、
１６２ａ、１６２ｂ：凸部、
１６３：取付け箇所、
１６４：開口、
１６５：締め付け支持部、
１６６：第１の締め付け支持体、
１６７：第２の締め付け支持体、
１６８：回動体支持基体、
１６９：ネジ通し孔、
１７０：ネジ通し孔、
１７１：締め付けネジ、
１７２：締め付けネジ、
１７３：固定具本体、
１７４：固定具、
１７９：凹み部、
１８０：向き規制板、
１８１：固定具、
１８２：固定押さえ部、
１８３：支持部、
１８４：固定具、
１８５ａ、１８５ｂ：ネジ案内開口、
１８６：固定具本体、
１８７：移動駒、
１８８：移動駒案内部、
１８９：ネジ孔、
１９０：ボルト、
１９１：リブ
１９２：凹み部。
【図１】
2014121621.tif 000003
【図２】
2014121621.tif 000004
【図３】
2014121621.tif 000005
【図４】
2014121621.tif 000006
【図５】
2014121621.tif 000007
【図６】
2014121621.tif 000008
【図７】
2014121621.tif 000009
【図８】
2014121621.tif 000010
【図９】
2014121621.tif 000011
【図１０】
2014121621.tif 000012
【図１１】
2014121621.tif 000013
【図１２】
2014121621.tif 000014
【図１３】
2014121621.tif 000015
【図１４】
2014121621.tif 000016
【図１５】
2014121621.tif 000017
【図１６】
2014121621.tif 000018
【図１７】
2014121621.tif 000019
【図１８】
2014121621.tif 000020
【図１９】
2014121621.tif 000021
【図２０】
2014121621.tif 000022
【図２１】
2014121621.tif 000023
【図２２】
2014121621.tif 000024